(57)【要約】      （修正有）【課題】縁部を薄く仕上げることができ、縁部の伸縮性、可撓性及び通気性を阻害せず、縁部のほつれを防止し、製造が簡単で大がかりな製造装置を省略できる衣服の提供。【解決手段】伸縮性を有する身生地２，３，４の縁に沿って、スチレン系熱可塑性エラストマーを主原料とし、多数の小孔が設けられたテープ状もしくはシート状の合成ゴム又は伸縮性樹脂５を融着してある。合成ゴム又は伸縮性樹脂は、身生地の裏面に露出させて融着しても良いし、身生地の縁部を裏面へ折り返し、折り返し部６と本体部とを合成ゴム又は伸縮性樹脂を介して融着しても良い。また、身生地の接合縁に合成ゴム又は伸縮性樹脂を配設し、身生地どうしを、合成ゴム又は伸縮性樹脂を介して融着しても良い。【選択図】図１
0003119729.tif 000002
【実用新案登録請求の範囲】
【請求項１】
伸縮性を有する身生地によって形成された衣服において、前記身生地の縁に沿って、熱可塑性エラストマーを主原料とし、多数の小孔が設けられたテープ状もしくはシート状の伸縮性のある合成ゴム又は樹脂を融着したことを特徴とする衣服。
【請求項２】
前記身生地の裏面に前記合成ゴム又は樹脂を露出させて融着した請求項１に記載の衣服。
【請求項３】
前記衣服はブラジャーであって、該ブラジャーの背部バンドの裏面における上下縁に沿って前記合成ゴム又は樹脂が配設されている請求項２に記載の衣服。
【請求項４】
前記身生地の縁部を裏面へ折り返し、折り返し部と本体部とを前記合成ゴム又は樹脂を介して融着した請求項１に記載の衣服。
【請求項５】
前記身生地の接合縁に前記合成ゴム又は樹脂を配設し、前記身生地どうしを、前記合成ゴム又は樹脂を介して融着した請求項１に記載の衣服。
【考案の詳細な説明】
【技術分野】
【０００１】
本考案は、伸縮性のある生地で形成したブラジャー、ガードル、ショーツ、水着等の衣服に関する。
【背景技術】
【０００２】
伸縮性を有する衣服の縁部、例えば、ガードル、ショーツ等のウェスト口や脚口は、裏面へ折り返してミシンで縫い止めると共に、縁に沿って伸縮紐を装着するのが一般的である。
しかし、このような縁処理は、生地が二重に重なると共に、伸縮紐を重ねてあるので、他の部分に比べて非常に厚くなり、ごろついて不快であるばかりか、その外側に身体へフィットするアウターウェアを着用した場合には、縁部がくっきり浮き上がって見えるため、体裁も悪い。
また、縁部を折り返してミシン縫いをし、さらに伸縮紐を装着するため、工程数が多くて製造に手間がかかった。
【０００３】
さらに、近年、端縁にヘム加工と称するほつれ止め処理が施された経編み地を、その端縁がウェスト口、脚口等に相当するよう裁断し、これを縫い合わせて成る下着が多く着用されるようになっている。
このような下着は、端縁が他の部分と同じ厚みに仕上がり、伸縮性も他の部分と変わらないので、着用感が優れている。
しかし、経編み地の端縁は必ず直線なので、曲線状の縁部にはヘム加工された端縁を用いることができない。また、ウェスト口、脚口等の縁部が編み地の端縁と一致するよう裁断しなければならないので、生地が無駄になりやすい。
【０００４】
また、衣類の縁部を薄く仕上げて、伸縮性を維持するものとして、伸縮性を有するテープ状当て生地を、伸縮性身生地の所望する部位の縁部端部より０．５ｍｍ〜５．０ｍｍ内側に、熱可塑性樹脂を介して熱圧着手段により接着し配設した衣類が知られている(特許文献１参照)。
ところが、この衣類は、身生地又は当て生地に熱可塑性樹脂をドット状に塗布してあるので、樹脂を転写するための大掛かりな装置が必要である。また、熱可塑性樹脂が柔軟性を有するものならば、テープ状の樹脂を積層させて身生地と当て生地を接着させることも可能であるとしているが、柔軟性を有するとはいえ、単なるテープ状の樹脂を配設しただけでは、伸縮性、可撓性及び通気性が阻害される。
【０００５】
【特許文献１】特開２００３−２５３５１０号公報
【考案の開示】
【考案が解決しようとする課題】
【０００６】
本考案が解決しようとする課題は、縁部を薄く仕上げることができると共に、縁部の伸縮性、可撓性及び通気性を阻害せず、縁部のほつれを防止し、製造が簡単で大がかりな製造装置を省略できる衣服を提供することにある。
【課題を解決するための手段】
【０００７】
本考案の衣服は、伸縮性を有する身生地によって形成され、前記身生地の縁に沿って、熱可塑性エラストマーを主原料とし、多数の小孔が設けられたテープ状もしくはシート状の伸縮性のある合成ゴム又は樹脂を融着してある。
以下の構成を採用しても良い。
前記身生地の裏面に前記合成ゴム又は樹脂を露出させて融着した構成。
この場合、前記衣服がブラジャーであり、該ブラジャーの背部バンドの裏面における上下縁に沿って前記合成ゴム又は樹脂を配設した構成。
前記身生地の縁部を裏面へ折り返し、折り返し部と本体部とを前記合成ゴム又は樹脂を介して融着した構成。
前記身生地の接合縁に前記合成ゴム又は樹脂を配設し、前記身生地どうしを、前記合成ゴム又は樹脂を介して融着した構成。
【考案の効果】
【０００８】
本考案によれば、縁部に沿って伸縮性のある合成ゴム又は樹脂を融着してあるのでほつれが防止され、このため、身生地の縁部にミシン縫いを施したり、伸縮紐を装着する必要がなく、製造工程が少なくて済み、縁部が薄く仕上がって着用感が良好で体裁が良い。
また、へム加工の端縁のように直線状の縁部のみに限定されることもなく、樹脂を転写させるための装置も不要である。
さらに、合成ゴム又は樹脂の主原料である熱可塑性エラストマーは伸縮性があり、しかも、多数の小孔が穿設されているので、いっそう伸縮性が高まり、身生地になじみやすく、通気性も確保できる。
【考案を実施するための最良の形態】
【０００９】
本考案の衣服は、伸縮性のある身生地で形成され、身生地の縁に沿ってテープ状もしくはシート状の伸縮性のある合成ゴム又は樹脂が融着されている。
合成ゴム又は樹脂には、多数の小孔を設けてある。
以下、本考案の実施例を図面に基づいて詳細に説明する。
【実施例１】
【００１０】
図１乃至図４は、衣服がガードル１である実施例１を示す。図１は、ガードル１の裏面斜視図、図２は、ガードル１のウェスト口の断面図、図３は、ガードル１の脚口の断面図、図４は、ガードル１の腹部断面図である。
図１に示すように、ガードル１は、通常のガードルとほぼ同様の形状を有し、３個の身生地、すなわち、腹部片２及び左右の背部・脚部片３，４を接合して成る。
腹部片２及び背部・脚部片３，４は、ポリウレタンを含む伸縮糸を編んだ伸縮性生地で形成される。
【００１１】
図２に示すように、ガードル１のウェスト口を構成する腹部片２及び背部・脚部片３，４の上端は裏面側へ一定幅で折り返し、この折り返し部６と腹部片２及び背部・脚部片３，４の本体部との間には、ウェスト口に沿ってテープ状もしくはシート状の伸縮性樹脂５を配設する。
伸縮性樹脂５は、スチレン系等の熱可塑性エラストマーを主原料とし、多数の小孔が全面に亘り均等に設けられてメッシュ状となっている。
そして、積層した折り返し部６、伸縮性樹脂５、腹部片２及び背部・脚部片３，４の本体部を熱プレスして、折り返し部６と腹部片２及び背部・脚部片３，４の本体部とを伸縮性樹脂５を介して融着する。
【００１２】
伸縮性樹脂５の素材である熱可塑性エラストマーは、ゴムのような高い弾性と強度を有するものであって、ウェスト口の伸縮性を阻害せず、しかも、薄いテープ状もしくはシート状なので、ゴム紐を装着したもののように分厚くならない。
また、伸縮性樹脂５には多数の小孔を形成してあり、融着後もこの小孔は潰れずに残るので、通気性、伸縮性及び柔軟性が高く、この結果、蒸れやすいウェスト口近傍の通気性が確保されると共に、ウェスト口が身体にフィットして動きやすい。
【００１３】
図３に示すように、ガードル１の裏面において、脚口を構成する背部・脚部片３，４の下端に沿って、ウェスト口に装着したものと同様のテープ状もしくはシート状の伸縮性樹脂５を配設し、熱プレスして伸縮性樹脂５と背部・脚部片３，４とを融着する。
ガードル１の裏面には、ゴムのような弾性を有すると共に多数の小孔が形成されて凹凸のある伸縮性樹脂５が、脚口に沿って露出しているので、ガードル１を着用した時の脚口のずり上がりを防ぐことができる。
もちろん、伸縮性樹脂５を配設したウェスト口と同様に、通気性、伸縮性及び柔軟性が良好である。
【００１４】
図４に示すように、腹部片２と背部・脚部片３，４との接合縁どうしを重ね合わせ、接合縁に沿って、腹部片２と背部・脚部片３，４との間に伸縮性樹脂５を挟む。伸縮性樹脂５は、ウェスト口及び脚口に装着した伸縮性樹脂５と同じものである。
そして、積層した腹部片２、伸縮性樹脂５及び背部・脚部片３，４を熱プレスして、腹部片２と背部・脚部片３，４を、伸縮性樹脂５を介して融着してある。
このように伸縮性樹脂５を介して身生地どうしを融着すると、縫着した場合に比べて薄く仕上がるので違和感がなく、通気性、伸縮性及び柔軟性が高い。
【実施例２】
【００１５】
図５は、衣服がブラジャー７である実施例２を示す。
ブラジャー７は、左右のカップ８を設けた土台布９と、土台布９の両側に取付けた背部バンド１０とを有する。
身生地である背部バンド１０の裏面には、上下縁に沿ってテープ状もしくはシート状の伸縮性樹脂５が融着されて露出している。伸縮性樹脂５は、実施例１のガードル１に用いたものと同様である。
このように背部バンド１０の裏面に上下縁に沿って伸縮性樹脂５を装着してあるので、身動きによって背部バンド１０がずり上がるのを防ぐ。
また、背部バンド１０の縁に伸縮紐を取り付けたものに比べて、薄く平坦に仕上がるので違和感がない。
【００１６】
なお、伸縮性樹脂５の厚みは、身生地の厚さ及び伸縮性に応じて適宜変えることができ、伸縮性樹脂５の厚みを変えることにより、衣類の縁部の緊迫力を調整することが可能である。また、伸縮性樹脂５の幅も、衣服の寸法や配置場所によって任意に変更することができる。
さらに、ガードルのウェスト口において、身生地を折り返さず、ウェスト口に融着した伸縮性樹脂５を裏面に露出させても良い。
また、ショーツのウェスト口、脚口、身生地どうしの接合縁に沿って、実施例１のガードル１と同様にしてテープ状の伸縮性樹脂５を融着しても良いし、シャツの袖口及び裾口に沿って、ガードル１のウェスト口或いは脚口と同じようにテープ状の伸縮性樹脂５を融着しても良い。
伸縮性樹脂５の代わりに、テープ状もしくはシート状の合成ゴムを融着することも可能である。
【図面の簡単な説明】
【００１７】
【図１】実施例１を示すガードルの裏面斜視図。
【図２】実施例１を示すガードルのウェスト口断面図。
【図３】実施例１を示すガードルの脚口断面図。
【図４】実施例１を示すガードルの腹部断面図。
【図５】実施例２を示すブラジャーの要部裏面図。
【符号の説明】
【００１８】
１  ガードル
２  腹部片（身生地）
３，４  背部・脚部片(身生地)
５  伸縮性樹脂
６  折り返し部
７  ブラジャー
８  カップ
９  土台布
１０  背部バンド(身生地)
【図１】
0003119729.tif 000003
【図２】
0003119729.tif 000004
【図３】
0003119729.tif 000005
【図４】
0003119729.tif 000006
【図５】
0003119729.tif 000007